(57)【特許請求の範囲】
【請求項１】
車両本体に設けられた温冷蔵室と、
前記車両本体の第１側面に配設され、前記温冷蔵室の開閉を行う扉と、
前記第１側面の上部に設けられ、前記温冷蔵室の起動、及び、停止を行う第１スイッチと、
前記第１スイッチの近傍に設けられ、第１スイッチの操作により前記温冷蔵室が起動された起動状態又は停止された停止状態を表示する第１表示手段と、
前記第１側面に直交する第２側面に設けられ、前記車両本体の走行をコントロールするハンドル、及び、車両本体の走行を制動する制動手段と、を備えた温冷蔵室機能付配膳車において、
前記第２側面の上部に、
前記第１スイッチにより設定された前記温冷蔵室の起動状態又は停止状態を切り換える第２スイッチと、
前記第２スイッチによって切り換えられた前記温冷蔵室の起動状態又は停止状態を前記第１表示手段と連動して表示する第２表示手段と、
前記温冷蔵室に電源を供給する電源コネクタと、を配設したことを特徴とする温冷蔵室機能付配膳車。
【発明の詳細な説明】
【技術分野】
【０００１】
本発明は、温冷蔵室機能付配膳車に関し、特に温冷蔵室を機能させる外部電源コネクタ、及び、操作パネルの配置に関するものである。
【背景技術】
【０００２】
従来、病院や特別養護老人ホーム等においては、多人数に季節や調理された食事に合わせて温度管理がされた食事を配膳するため、温冷蔵室機能が付加された配膳車が用いられている。この温冷蔵室機能は、作業者が配膳前に外部電源を電源として温冷蔵室自体を設定した所定の温度にすると共に、所定の温度になった温冷蔵室の中に収納された食事をその所定の温度の中において保存する機能である。
【０００３】
これらの温冷蔵室機能付配膳車においては、食事を出し入れするための扉と扉の無い側面に配膳車の走行をコントロールするハンドルが設けられている。その温冷蔵室の扉が設けられた側面の上部には、温冷蔵室を駆動するＯＮ・ＯＦＦスイッチ、温冷蔵室の温度を調整する温度調整スイッチ、温冷蔵室が動作していることが確認できる表示部等をまとめた操作パネルが配設されている。
この操作パネルが食事を出し入れする扉の上に設けられていることによって、作業者が温冷蔵室の中に食事を収納する時に、温冷蔵室がどのような運転状態になっているかを一連の収納作業の中で余分な動作をすること無しに確認することが可能になる。
【０００４】
このような温冷蔵室機能付配膳車に関する技術として、特許文献１記載の技術が知られている。特許文献１には、食事を出し入れする扉が設けられた側面の上部に温冷蔵室の温度を調整する操作パネルと外部電源用コネクタが配設されている温蔵車が記載されている。
【特許文献１】特開２００８−０１１９５５号公報
【発明の開示】
【発明が解決しようとする課題】
【０００５】
しかしながら、特許文献１に係る温蔵車では、複数の温蔵車がハンドルのある側面を手前にして並べられた場合、電源コネクタが接続できないという問題点と操作パネルを操作できないという問題点を有している。具体的には、病院や特別養護老人ホーム等において、複数台ある温冷蔵室機能付配膳車の置き場に対して十分なスペースが取れないために、ハンドルのある側面を手前にして並べると配膳車の置き場に対して収容できる場合がある。この場合、配膳車同士の隙間が狭いために、電源コネクタが接続できないという問題点と、接続できたとしても、作業者が温冷蔵室自体を食事が収納される前に所定の温度にする操作を行なおうとすると、配膳車同士の隙間が狭いので、作業者が隙間に入れないために操作パネルが操作できない、或は、操作がしづらいという問題点が発生する。
【０００６】
本発明は、前述の問題点を解消するためになされたものであり、食事を所定の温度により保温、或は、保存する温冷蔵室機能付配膳車に関し、特に、扉のある側面と直行する側面にも温冷蔵室を起動するＯＮ・ＯＦＦスイッチ、温冷蔵室が動作していることが確認できる表示部、外部電源コネクタ等を備えることによって、温冷蔵室機能付配膳車の置き場の広さに左右されずに温冷蔵室を機能させることができる温冷蔵室機能付配膳車の提供を目的とする。
【課題を解決するための手段】
【０００７】
前記目的を達成するため、請求項１に係る温冷蔵室機能付配膳車は、車両本体に設けられた温冷蔵室と、前記車両本体の第１側面に配設され、前記温冷蔵室の開閉を行う扉と、前記第１側面の上部に設けられ、前記温冷蔵室の起動、及び、停止を行う第１スイッチと、前記第１スイッチの近傍に設けられ、第１スイッチの操作により前記温冷蔵室が起動された起動状態又は停止された停止状態を表示する第１表示手段と、前記第１側面に直交する第２側面に設けられ、前記車両本体の走行をコントロールするハンドル、及び、車両本体の走行を制動する制動手段と、を備えた温冷蔵室機能付配膳車において、前記第２側面の上部に、前記第１スイッチにより設定された前記温冷蔵室の起動状態又は停止状態を切り換える第２スイッチと、前記第２スイッチによって切り換えられた前記温冷蔵室の起動状態又は停止状態を前記第１表示手段と連動して表示する第２表示手段と、前記温冷蔵室に電源を供給する電源コネクタと、を配設したことを特徴とする。
【発明の効果】
【０００８】
請求項１に係る温冷蔵室機能付配膳車によれば、車両本体に設けられた温冷蔵室の扉を有する第１側面の上部には、温冷蔵室の起動、及び、停止を行う第１スイッチとその近傍に第１スイッチによる温冷蔵室の起動、及び、停止の状態を表示する第１表示手段とを設け、第１側面と直交すると共に車両本体の走行をコントロールするハンドル、及び、車両本体の走行を制動する制動手段を有する第２側面の上部に対して、第１スイッチにより設定された温冷蔵室の起動又は停止した状態を切り換える第２スイッチと、第２スイッチによって切り換えられた温冷蔵室の起動又は停止した状態を第１表示手段と連動して表示する第２表示手段と、温冷蔵室に電源を供給する電源コネクタを配設した。
【０００９】
これにより、ハンドルのある側面を手前にして並べた複数の温冷蔵室機能付配膳車に対し、車両本体の第１側面の上部に配設された第１スイッチとその近傍に配設された第１表示手段は、隣の温冷蔵室機能付配膳車に隠れて操作、及び、確認はできなくなるが、通路の確保できる第２側面の上部に配設された電源コネクタと第２スイッチ、及び、その近傍に配設された第２表示手段によって、外部から電源を供給しながら温冷蔵室の起動又は停止を行うと共にその状態を確認することができる。すなわち、温冷蔵室機能付配膳車の置き場の広さに左右されずに温冷蔵室を機能させることができる。
【００１０】
また、電源コネクタ、及び、第２スイッチを第２側面の上部に配設することにより、温冷蔵室機能付配膳車を所定の場所に移動した時に、ロックしてから直ちに電源コネクタと外部電源を接続して温冷運転ができるようになった。これにより、温冷蔵室機能付配膳車をロックしてから電源コネクタと外部電源を接続するために、車両本体の第１側面側に回って接続作業をする無駄な動作を無くすことができる。
また、温冷運転の状態を確認する時は、第１表示手段と第２表示手段は互いに連動していることにより、どこに居てもどちらかの表示手段を確認できるので、一つの表示手段を見るためにそこまで行かなければならないと言う、無駄な動きをする必要が無い。さらに、第１スイッチと第２スイッチはお互いの状態を切り換えできるので、温冷運転の状態を変更する場合は、身近なスイッチを操作することで状態を切り換えすることができることにより、一つのスイッチを操作するためにそこまで行かなければならないと言う、無駄な動きをする必要が無い。
【発明を実施するための最良の形態】
【００１１】
以下、本発明を温冷蔵室機能付配膳車１に適用した一実施形態について、図１乃至図６を参照しつつ詳細に説明する。
ここで、図１は、本実施形態に係る温冷蔵室機能付配膳車の側面図、図２は、温冷蔵室機能付配膳車の内部構成を示す説明図、図３は、温冷蔵室機能付配膳車の制御ボックス近傍の説明図、図４は温冷蔵室機能付配膳車の底面図、図５は、温冷蔵室機能付配膳車の補助電動機能に関する制御ブロック図、図６は、温冷蔵室機能付配膳車の温冷蔵室機能に関する制御ブロック図である。
【００１２】
図１乃至図４に示すように、温冷蔵室機能付配膳車１は、走行方向と交差する左右両側面（図３中、左右方向の各外側面）が開放された全体として矩形箱状をなす断熱構造の本体２を備えている。
又、本体２の上部には、本体２の大半を占める冷蔵室３、温蔵室４の温冷蔵室機能を制御する機械室５が形成されている。
更に、本体２の下部には、温冷蔵室機能付配膳車１の移動を可能にする部材と、移動の補助を行う電動補助部材と、制動を行う制動部材等が備えられている。そして、これ等を制御するために、温冷蔵室機能付配膳車１の走行方向側にあたる本体２の側面には、ハンドル６、ブレーキレバー７、制御ボックス８等が備えられている。
【００１３】
先ず、図１、図３乃至図５に基づいて、温冷蔵室機能付配膳車１の移動を可能にする構成と、移動の補助を行う電動補助部材の構成と、制動を行う制動部材の構成、及び、それらの機能について説明する。
図４に示すように、本体２の底面には、走行方向側（図１中右側）の左右角部に、向きが自在に変更可能に構成された各自在輪９が夫々回動可能に配設されている。また、走行方向側の各自在輪９の間には、温冷蔵室機能付配膳車１の移動を制動するペダルロック１０が配設されている。
更に、本体２の底面部には、走行方向後方の左右両側に、一対の駆動輪１１（第１駆動輪１２、第２駆動輪１３）が回転可能に配設されている。ここで、温冷蔵室機能付配膳車１の走行方向右側に配設されている駆動輪１１を第１駆動輪１２といい、走行方向左側に配設されている駆動輪１１を第２駆動輪１３という。
これらの第１駆動輪１２、第２駆動輪１３には、駆動モータ１４の駆動力が、ミッション部１５（図４参照）を介して伝達されるので、当該駆動モータ１４の駆動に伴って回転駆動する。この時、駆動モータ１４とミッション部１５は、クラッチ操作レバー１６（図１参照）を有するクラッチ１７（図４参照）によって伝達状態になっている。
そして、第１駆動輪１２、第２駆動輪１３には、夫々、第１ホイルブレーキ１８、第２ホイルブレーキ１９が配設されている（図４参照）。第１ホイルブレーキ１８は、第１駆動輪１２を制動する制動装置であり、第２ホイルブレーキ１９は、第２駆動輪１３を制動する制動装置である。
【００１４】
そして、温冷蔵室機能付配膳車１の走行方向側にあたる本体２の側面には、上述したように制御ボックス８が形成されている。この制御ボックス８には、温冷蔵室機能付配膳車１の補助電動機能に係る駆動源であるバッテリ２０が収納されている（図３参照）。
又、図１に示すように、当該制御ボックス８には、上述したハンドル６が上下方向に回動自在に配設されている。従って、温冷蔵室機能付配膳車１を用いて配膳する場合、作業者は、当該ハンドル６を把持して、温冷蔵室機能付配膳車１の移動操作（例えば、前進、後進、右折、左折）を行う。
尚、当該ハンドル６には、ハンドル６の回動量を検知する可変抵抗器２１（図５参照）が配設されており、当該可変抵抗器２１の検知結果に応じて、温冷蔵室機能付配膳車１の走行方向、及び、速度調整がなされる。尚、このハンドル６の回動量に基づく走行方向、及び、速度調整に係る構成については、既に公知の構成であるため、詳細な説明は省略する。
【００１５】
又、制御ボックス８上部表面には、温冷蔵室機能付配膳車１の駆動系制御に関する操作を行う操作パネル２２が配設されている。この操作パネル２２には、駆動モータ１４による補助電動機能のＯＮ・ＯＦＦ状態を切り換える走行状態切換スイッチや、バッテリ２０の残量を表示し、バッテリ用ＬＥＤ点灯回路２３によって駆動されるバッテリ表示ＬＥＤ２４等の各種操作手段、及び、報知手段が配設されている。
【００１６】
ここで、温冷蔵室機能付配膳車１の走行制御に関する構成について図１、図３、図４を参照しつつ詳細に説明する。
図１、図３に示すように、ハンドル６は、制御ボックス８を横方向に貫通するハンドル軸２５を中心として上下方向に回動可能に取り付けられている。そして、ハンドル６は、コの字形に折り曲げられた円筒状部材であり、ハンドル軸２５の両端に取り付けられる。
【００１７】
そして、ハンドル６には、上述したブレーキレバー７が取り付けられている（図３参照）。このブレーキレバー７には、制動用ブレーキワイヤ２６が取り付けられている。図４に示すように、制動用ブレーキワイヤ２６は、本体２の底面に配設された接続ボックス２７内に配設されたワイヤ接続部材２８の第２取付部２９に接続されている。第２取付部２９の両側には所定の位置に第１取付部３０、及び、第３取付部３１が設けられており、第１取付部３０には、第１ブレーキワイヤ３２の一方の端部が接続され、第３取付部３１には、第２ブレーキワイヤ３３の一方の端部が接続されている。そして、第１ブレーキワイヤ３２の他方の端部は、第１ホイルブレーキ１８に接続され、第２ブレーキワイヤ３３の他方の端部は、第２ホイルブレーキ１９に接続されている（図４参照）。前記ワイヤ接続部材２８は、接続ボックス２７内において上下方向（図４の上下方向）に移動可能に配設されている。これにより、制動用ブレーキワイヤ２６が矢印Ａ（図４参照）の方向に引かれると、第１ブレーキワイヤ３２、及び、第２ブレーキワイヤ３３も同時に矢印Ａの方向に引かれる。つまり、当該ブレーキレバー７を操作することにより、第１駆動輪１２、第２駆動輪１３に対して同時に制動力を付与することができ、温冷蔵室機能付配膳車１の移動を停止させるために制動することができる。
【００１８】
次に、温冷蔵室機能付配膳車１の補助電動機能に関する制御系について、図５を参照しつつ詳細に説明する。
図５に示すように、温冷蔵室機能付配膳車１の補助電動機能の制御は、制御ボックス８内に配設されているコントロールユニット３４により行われる。コントロールユニット３４は、第１ＣＰＵ３５、第１ＲＯＭ３６、第１ＲＡＭ３７により構成されている。第１ＲＯＭ３６には、温冷蔵室機能付配膳車１の走行速度制御に関する走行速度制御、バッテリ表示ＬＥＤ２４の表示制御等のプログラムや各種のデータ等、温冷蔵室機能付配膳車１の補助電動機能を制御するための各種制御プログラムやデータが記憶されている。第１ＣＰＵ３５は、第１ＲＯＭ３６に記憶されている制御プログラムを実行する演算処理装置である。第１ＣＰＵ３５が、第１ＲＯＭ３６に記憶されている制御プログラムを実行することにより、温冷蔵室機能付配膳車１の走行速度、バッテリ表示ＬＥＤ２４の表示等が制御される。そして、第１ＲＡＭ３７は、第１ＣＰＵ３５による制御プログラムの演算結果が一次的に記憶される記憶手段である。
【００１９】
コントロールユニット３４には、ハンドル６の回動量を抵抗値の変化に対応させる可変抵抗器２１が接続されている。従って、当該ハンドル６に配設されている可変抵抗器２１の値の変化データは、コントロールユニット３４に送信される。そのため、温冷蔵室機能付配膳車１では、ハンドル６の回動操作による可変抵抗器２１の値の変化データに基づいて、温冷蔵室機能付配膳車１の走行速度が制御される。
【００２０】
又、コントロールユニット３４には、操作パネル２２が接続されている。上述したように、操作パネル２２には、駆動モータ１４による補助電動機能のＯＮ・ＯＦＦ状態を切り換える走行状態切換スイッチ等の操作手段が配設されているので、コントロールユニット３４は、操作手段の操作に基づいて、補助電動機能に関する制御を行うことができる。
そして、コントロールユニット３４には、温冷蔵室機能付配膳車１の補助電動機能に係る駆動源であるバッテリ２０が接続されている。このバッテリ２０は、コントロールユニット３４を介して、駆動モータ１４等の各種装置に電力を供給する。尚、このバッテリ２０は、充電ユニット３８により充電され、充電ユニット３８は、電源コネクタ３９を介して外部電源から電力の供給を受ける。
【００２１】
又、コントロールユニット３４には、モータ駆動回路４０を介して、駆動モータ１４が接続されている。上述したように、この駆動モータ１４には、夫々、第１駆動輪１２、第２駆動輪１３が接続されている。即ち、温冷蔵室機能付配膳車１では、駆動モータ１４の駆動に基づいて、第１駆動輪１２、第２駆動輪１３が駆動することで、温冷蔵室機能付配膳車１の移動するための動力補助を行っている。
そして、モータ駆動回路４０は、第１ＣＰＵ３５からの制御信号に基づいて、駆動モータ１４の駆動制御する回路である。又、モータ駆動回路４０には、エンコーダ４１が配設されている。このエンコーダ４１は、補助電動機能により移動するための動力補助を行っている温冷蔵室機能付配膳車１の現在の走行速度を検知し、当該検知結果をコントロールユニット３４に送信する。これにより、温冷蔵室機能付配膳車１は、エンコーダ４１で検知される現在の走行速度に基づいて、コントロールユニット３４による走行速度制御を行うことができる。
【００２２】
又、コントロールユニット３４には、バッテリ用ＬＥＤ点灯回路２３を介して、バッテリ表示ＬＥＤ２４が接続されている。このバッテリ表示ＬＥＤ２４は、複数ＬＥＤが一列に並んでおり、点灯しているＬＥＤの数がバッテリ２０の残量を表示している。例えば、全部のＬＥＤが点灯している場合は、バッテリ２０がフル充電されている状態を示し、全部のＬＥＤが消灯している場合は、バッテリ２０が空の状態を示している。これらの状態の検出は、第１ＣＰＵ３５がバッテリ２０を監視することによって行われ、検出した状態を第１ＲＯＭ３６に記憶されている制御プログラムによって解析し、その結果がバッテリ用ＬＥＤ点灯回路２３を介してバッテリ表示ＬＥＤ２４に表示されている。
【００２３】
続いて、図１乃至図３、図６に基づいて、温冷蔵室機能付配膳車１の温冷蔵室の構成と、その機能と制御について説明する。
図２に示すように、当該本体２の内部には、食品が載置された食膳用トレーを収納可能な収納部４２が形成されており、当該収納部４２は、前後方向に４室に仕切られている。詳細に説明すれば、当該収納部４２は、その中央部に配設された中間壁４３により、第１収納室４４と、第２収納室４５に分画される。そして、第１収納室４４、第２収納室４５は、夫々、内部に配設された公知の断熱性の仕切壁４６（特開２００１−２８６３４７号公報等参照）によって、冷蔵室３、温蔵室４に分画される。即ち、第１収納室４４は、第１冷蔵室４７、第１温蔵室４８に分画され、第２収納室４５は、第２冷蔵室４９、第２温蔵室５０に分画される（図２参照）。
尚、仕切壁４６は、複数の単位仕切壁を上下方向に積重して構成されているので、各単位仕切壁間に食膳用トレーを挿入することにより、複数の食膳用トレーを支持しつつ収納できる。
そして、本体２の開放面（即ち、収納部４２に対する開口面）には、第１温蔵室４８、第１冷蔵室４７、第２冷蔵室４９、第２温蔵室５０の各室に対して、各室の内部が確認できる透明の扉５１が設けられている（図１参照）。従って、当該扉５１を開け閉めすることにより、収納部４２の内部に食膳用トレーを出し入れできる。
【００２４】
又、本体２の上部には、上述したように機械室５が形成されている。この機械室５の内部には、温冷蔵室機能付配膳車１の温度制御等に関する各種ユニットが配設されている。即ち、当該機械室５には、冷蔵室３を冷却する為の冷却ユニット５２、暖気を第１温蔵室４８内で循環させる第１送風ユニット５３、及び、暖気を第２温蔵室５０内で循環させる第２送風ユニット５４等の各種ユニットが配設されている。
【００２５】
又、図１に示すように、機械室５の側面には、温度調整パネル５５が配設されている。この温度調整パネル５５には、冷蔵室３に対するＯＮ・ＯＦＦ操作が行われる第１冷蔵運転スイッチ５６、冷蔵室３に対する温度設定の操作が行われる冷蔵温度設定スイッチ５７、温蔵室４に対するＯＮ・ＯＦＦ操作が行われる第１温蔵運転スイッチ５８、温蔵室４に対する温度設定の操作が行われる第１温蔵温度設定スイッチ５９、第２温蔵温度設定スイッチ６０等が配設されている。
そして、第１冷蔵運転スイッチ５６の上部には、第１冷蔵運転スイッチ５６による冷蔵室３の運転状態が表示される第１冷蔵運転ランプ６１が配置され、第１温蔵運転スイッチ５８の上部には、第１温蔵運転スイッチ５８による温蔵室４の運転状態が表示される第１温蔵運転ランプ６２が配置されている。
更に、冷蔵温度設定スイッチ５７の上部には、冷蔵温度設定スイッチ５７によって冷蔵室３に対して設定された温度表示、及び、冷蔵室３内部の温度を表示する冷蔵温度表示装置６３が配置されている。又、第１温蔵温度設定スイッチ５９の上部には、第１温蔵温度設定スイッチ５９によって第１温蔵室４８に対して設定された温度表示、及び、第１温蔵室４８内部の温度を表示する第１温蔵温度表示装置６４が配置され、第２温蔵温度設定スイッチ６０の上部には、第２温蔵温度設定スイッチ６０によって第２温蔵室５０に対して設定された温度表示、及び、第２温蔵室５０内部の温度を表示する第２温蔵温度表示装置６５が配置されている。
【００２６】
更に、図２に示すように、機械室５の内部の中央には、冷却器室６６が形成されている。この冷却器室６６には、上述した冷却ユニット５2が収納されている。当該冷却ユニット５２は、冷却器６７、冷気送風ファン６８等で構成され、冷気を冷蔵室３の内部に供給するユニットである。
そして、冷却器室６６の底面には、冷蔵室３と連通する冷蔵吸込口６９、冷蔵吹出口７０が開口されている（図２参照）。従って、温度調整パネル５５を操作し、冷気送風ファン６８を駆動することにより、冷蔵室３内の空気は、冷蔵吸込口６９を介して吸い込まれ、冷蔵吹出口７０から吹き出される。そして、冷蔵吹出口７０から吹き出された空気は、冷気循環用のダクトとして機能する中間壁４３を介して、冷蔵室３（第１冷蔵室４７、第２冷蔵室４９）に吹き出される（図２参照）。
【００２７】
一方、機械室５の前側端部には、第１温蔵室４８内の空気を循環させる第１送風ユニット５３が配設され、後側端部には、第２温蔵室５０内の空気を循環させる第２送風ユニット５４が配設されている。
ここで、第１送風ユニット５３近傍の機械室５の底面には、第１温蔵室４８の天井面の略中央部に第１温蔵吸込口７１が形成されている。この第１温蔵吸込口７１は、第１温蔵室４８と連通している。又、機械室５の底面には、第１温蔵吹出口７２が、第１ダクト部７３に対応する位置に形成されている（図２参照）。
当該第１ダクト部７３は、第１収納部内壁面７４と第１ヒータパネル７５により構成されている。つまり、図２に示すように、第１ヒータパネル７５は、第１収納部内壁面７４と所定の間隔で離間して配設されており、この第１ヒータパネル７５と第１収納部内壁面７４の間の空間が第１ダクト部７３である。
そして、第１ヒータパネル７５は、第１ヒータパネル７５を加熱するヒータと、第１温蔵室４８と第１ダクト部７３を連通する複数の貫通孔を備える板状のパネルである。当該第１ヒータパネル７５は、第１収納部内壁面７４を略覆う大きさであり、その上端部が収納部天井面７６（第１温蔵吹出口７２開口縁近傍）に当接するように配設されている。
【００２８】
同様に、第２送風ユニット５４近傍の機械室５の底面には、第２温蔵室５０の天井面の略中央部に第２温蔵吸込口７７が形成されている。この第２温蔵吸込口７７は、第２温蔵室５０と連通している。又、機械室５の底面には、第２温蔵噴出口７８が、第２ダクト部７９に対応する位置に形成されている（図２参照）。
当該第２ダクト部７９は、第２収納部内壁面８０と第２ヒータパネル８１により構成されている。つまり、図２に示すように、第２ヒータパネル８１は、第２収納部内壁面８０と所定の間隔で離間して配設されており、この第２ヒータパネル８１と第２収納部内壁面８０の間の空間が第２ダクト部７９である。
そして、第２ヒータパネル８１は、第２ヒータパネル８１を加熱するヒータと、第２温蔵室５０と第２ダクト部７９を連通する複数の貫通孔を備える板状のパネルである。当該第２ヒータパネル８１は、第２収納部内壁面８０を略覆う大きさであり、その上端部が収納部天井面７６（第２温蔵噴出口７８開口縁近傍）に当接するように配設されている。
【００２９】
更に、図３に示すように、走行方向のハンドル６が設けられた側の機械室５の側面には、スイッチパネル８２が配設されている。このスイッチパネル８２には、第１冷蔵運転スイッチ５６の状態を変更可能な第２冷蔵運転スイッチ８３、及び、第１温蔵運転スイッチ５８の状態を変更可能な第２温蔵運転スイッチ８４が配設されている。
そして、第２冷蔵運転スイッチ８３の上部には、第２冷蔵運転スイッチ８３によって冷蔵室３の運転状態が変更されると第１冷蔵運転ランプ６１と連動して変更された運転状態を表示する第２冷蔵運転ランプ８５が配置され、第２温蔵運転スイッチ８４の上部には、第２温蔵運転スイッチ８４によって温蔵室４の運転状態が変更されると第１温蔵運転ランプ６２と連動して変更された運転状態を表示する第２温蔵運転ランプ８６が配置されている。これにより、直行する２つの異なる側面の一方の側面に、第１冷蔵運転スイッチ５６、第１温蔵運転スイッチ５８、第１冷蔵運転ランプ６１、第１温蔵運転ランプ６２、他方の側面に第２冷蔵運転スイッチ８３、第２温蔵運転スイッチ８４、第２冷蔵運転ランプ８５、第２温蔵運転ランプ８６を配置することにより、どこからでも温冷蔵室機能付配膳車１の温冷蔵室の起動又は停止の状態が確認でき、冷蔵室機能付配膳車１を温冷蔵室機能付配膳車１の置き場にどのように置いても、又、温冷蔵室機能付配膳車１の置き場の広さにも左右されずに温冷蔵室を機能させることができる。
【００３０】
又、図３に示すように、走行方向のハンドル６が設けられた側の機械室５の側面には、外部電源を取込む電源コネクタ３９（図３中、上部左側端部）が配設されている。この電源コネクタ３９より取込まれた外部電源が、スイッチングレギュレータ８７によって平滑され、温冷蔵室機能の電源となる。これにより、作業者がハンドル６を操作して温冷蔵室機能付配膳車１を所定の場所に移動した時に、ロックしてから温冷蔵室機能付配膳車１の周囲を移動すること無く、直ちに手元にある電源コネクタ３９と外部電源を接続して温冷運転ができるようになっている。
尚、本実施形態においては、スイッチングレギュレータ８７の出力電圧はＤＣ５Ｖに設定されている。
【００３１】
次に、温冷蔵室機能付配膳車１の温冷蔵室機能に関する制御系について、図６を参照しつつ詳細に説明する。
図６に示すように、温冷蔵室機能付配膳車１の温冷蔵室機能の制御は、プログラマブルコントローラ８８により行われる。プログラマブルコントローラ８８は、第２ＣＰＵ８９、第２ＲＯＭ９０、第２ＲＡＭ９１により構成されている。第２ＲＯＭ９０には、温冷蔵室機能付配膳車１の温冷蔵室の温度維持を行う温冷蔵室制御、温冷蔵室に対する温度設定制御、及び、温冷蔵室内の温度表示を行う温度表示制御等のプログラムや各種のデータ等、温冷蔵室機能付配膳車１の温冷蔵室機能を制御するための各種制御プログラムやデータが記憶されている。第２ＣＰＵ８９は、第２ＲＯＭ９０に記憶されている制御プログラムを実行する演算処理装置である。第２ＣＰＵ８９が、第２ＲＯＭ９０に記憶されている制御プログラムを実行することにより、温冷蔵室機能付配膳車１の温冷蔵室の温度維持に関する温冷蔵室制御、温冷蔵室に対する温度設定制御、及び、温冷蔵室内の温度表示を行う温度表示制御等が制御される。そして、第２ＲＡＭ９１は、第２ＣＰＵ８９による制御プログラムの演算結果が一次的に記憶される記憶手段である。
【００３２】
プログラマブルコントローラ８８には、温冷蔵室の温度設定を行うスイッチとして、温度調整パネル５５に配設された冷蔵温度設定スイッチ５７と第１温蔵温度設定スイッチ５９、及び、第２温蔵温度設定スイッチ６０が夫々接続されている。尚、これらの温度設定スイッチは、夫々３つのボタンで構成され、左から温度設定指示ボタン、温度上方設定ボタン、温度下方設定ボタンの順に配置されている。
更に、プログラマブルコントローラ８８には、これらのスイッチによって温冷蔵室の温度設定を行う時に、その設定温度を表示する表示装置として、温度調整パネル５５に配設された冷蔵温度表示装置６３と第１温蔵温度表示装置６４、及び、第２温蔵温度表示装置６５が夫々接続されている。尚、これらのプログラマブルコントローラ８８に接続された表示装置は、温冷蔵室内の実際の温度を表示する際にも使用される。
【００３３】
又、プログラマブルコントローラ８８には、温冷蔵室の温度測定を行うセンサとして、冷蔵室３に付設された冷蔵室サーミスタ９２と、第１温蔵室４８に付設された第１温蔵室サーミスタ９３、及び、第２温蔵室５０に付設された第２温蔵室サーミスタ９４が夫々接続されている。これらのセンサ（サーミスタ）によって測定された温度は、第２ＣＰＵ８９によって夫々の上述の表示装置に表示される。
【００３４】
又、プログラマブルコントローラ８８には、第１温蔵室４８の熱源としての第１ヒータパネル７５を制御する第１ヒータパネル制御部９５が接続されると共に、第２温蔵室５０の熱源としての第２ヒータパネル８１を制御する第２ヒータパネル制御部９６が接続されている。更に、プログラマブルコントローラ８８には、第１温蔵室４８内に第１ヒータパネル７５の熱を循環させるための第１送風ユニット５３を制御する第１送風ユニット制御部９７が接続されると共に、第２温蔵室５０内に第２ヒータパネル８１の熱を循環させるための第２送風ユニット５４を制御する第２送風ユニット制御部９８が接続されている。
又、プログラマブルコントローラ８８には、冷蔵室３を冷却するための冷却ユニット５２を制御する冷却ユニット制御部９９が接続されている。更に、プログラマブルコントローラ８８には、冷却ユニット５２によって発生した冷気を冷蔵室３内に循環させるための冷気送風ファン６８を制御する冷気送風ファン制御部１００が接続されている。
尚、本実施形態においては、第１ヒータパネル７５、第２ヒータパネル８１、第１送風ユニット５３、第２送風ユニット５４、冷却ユニット５２、冷気送風ファン６８は、電源コネクタ３９から、夫々２００Ｖの電力が供給されている。
又、上述の制御部９５乃至制御部１００は、リレーによって構成されている。
【００３５】
又、プログラマブルコントローラ８８には、冷蔵室３の運転を起動する一方のスイッチとして、温度調整パネル５５に配設された１回路２接点（単極双投）のロッカースイッチである第１冷蔵運転スイッチ５６の回路の一方が接続されている。又、プログラマブルコントローラ８８には、冷蔵室３の運転を起動する他方のスイッチとして、スイッチパネル８２に配設された１回路２接点（単極双投）のロッカースイッチである第２冷蔵運転スイッチ８３の回路の一方が接続されている。そして、第１冷蔵運転スイッチ５６の回路の他方と第２冷蔵運転スイッチ８３の回路の他方は直列に接続されている。更に、プログラマブルコントローラ８８には、これらのスイッチによって冷蔵室３の運転が起動されたか否かを表示する表示装置として、温度調整パネル５５に配設された第１冷蔵運転ランプ６１とスイッチパネル８２に配設された第２冷蔵運転ランプ８５が夫々並列に接続されている。そのため、第１冷蔵運転ランプ６１と第２冷蔵運転ランプ８５は互いに連動している。
【００３６】
同様に、プログラマブルコントローラ８８には、温蔵室４の運転を起動する一方のスイッチとして、温度調整パネル５５に配設された１回路２接点（単極双投）のロッカースイッチである第１温蔵運転スイッチ５８の回路の一方が接続されている。又、プログラマブルコントローラ８８には、温蔵室４の運転を起動する他方のスイッチとして、スイッチパネル８２に配設された１回路２接点（単極双投）のロッカースイッチである第２温蔵運転スイッチ８４の回路の一方が接続されている。そして、第１温蔵運転スイッチ５８の回路の他方と第２温蔵運転スイッチ８４の回路の他方は直列に接続されている。更に、プログラマブルコントローラ８８には、これらのスイッチによって温蔵室４の運転が起動されたか否かを表示する表示装置として、温度調整パネル５５に配設された第１温蔵運転ランプ６２とスイッチパネル８２に配設された第２温蔵運転ランプ８６が夫々並列に接続されている。そのため、第１温蔵運転ランプ６２と第２温蔵運転ランプ８６は互いに連動している。
【００３７】
ここで、第１冷蔵運転スイッチ５６と第２冷蔵運転スイッチ８３の関連動作、及び、第１温蔵運転スイッチ５８と第２温蔵運転スイッチ８４の関連動作の説明をする。
これらのスイッチは、上述したように、１回路２接点（単極双投）のロッカースイッチである。
第１冷蔵運転スイッチ５６と第２冷蔵運転スイッチ８３においては、図６に示すように、第１冷蔵運転スイッチ５６のａは、スイッチ片を有するコモン端子であり、ｂ、ｃは接点端子である。又、第２冷蔵運転スイッチ８３のｆは、スイッチ片を有するコモン端子であり、ｄ、ｅは接点端子である。そして、コモン端子ａ、及び、ｆは、プログラマブルコントローラ８８に接続されている。又、第１冷蔵運転スイッチ５６と第２冷蔵運転スイッチ８３が直列に接続されるように、接点端子ｂとｄが接続され、接点端子ｃとｅが接続されている。
【００３８】
又、第１温蔵運転スイッチ５８と第２温蔵運転スイッチ８４においては、図６に示すように、第１温蔵運転スイッチ５８のｇは、スイッチ片を有するコモン端子であり、ｈ、ｊは接点端子である。又、第２温蔵運転スイッチ８４のｎは、スイッチ片を有するコモン端子であり、ｋ、ｍは接点端子である。そして、コモン端子ｇ、及び、ｎは、プログラマブルコントローラ８８に接続されている。又、第１温蔵運転スイッチ５８と第２温蔵運転スイッチ８４が直列に接続されるように、接点端子ｈとｋが接続され、接点端子ｊとｍが接続されている。
【００３９】
図６に示す状態は、第１冷蔵運転スイッチ５６と第２冷蔵運転スイッチ８３においては、第１冷蔵運転スイッチ５６のスイッチ片が接点端子ｂ側にあり、第２冷蔵運転スイッチ８３のスイッチ片が接点端子ｅ側にあるので冷蔵室３の運転が起動されていない状態を示している。この状態から冷蔵室３の運転を起動するためには、第１冷蔵運転スイッチ５６のスイッチ片を接点端子ｃ側にするか、又は、第２冷蔵運転スイッチ８３のスイッチ片を接点端子ｄ側にすればよい。そして、運転を停止するためには上述の逆の行程を行う。
【００４０】
又、第１温蔵運転スイッチ５８と第２温蔵運転スイッチ８４においては、第１温蔵運転スイッチ５８のスイッチ片が接点端子ｈ側にあり、第２温蔵運転スイッチ８４のスイッチ片が接点端子ｍ側にあるので温蔵室４の運転が起動されていない状態を示している。この状態から冷蔵室３の運転を起動するためには、第１温蔵運転スイッチ５８のスイッチ片を接点端子ｊ側にするか、又は、第２温蔵運転スイッチ８４のスイッチ片を接点端子ｋ側にすればよい。そして、運転を停止するためには上述の逆の行程を行う。
【００４１】
これらの事柄は、どちらのスイッチを操作しても冷蔵室３、又は、温蔵室４の以前の状態を変更することができることを示している。即ち、２つのスイッチを異なる側面に配設することにより、作業者が配膳作業を行う側面、又は、ハンドル６を使用して移動作業を行う側面の何れからでも冷蔵室３、又は、温蔵室４の状態を変更することができることになり、スイッチ操作をするために、どちらかの側面に移動するような無駄な動きを無くすことができる。そして、これらのスイッチの状態は、第１冷蔵運転ランプ６１、第２冷蔵運転ランプ８５、第１温蔵運転ランプ６２、第２温蔵運転ランプ８６に表示されるので、作業者は迷う事無く所望する状態にスイッチ操作を行うことができる。
【００４２】
続いて、このように構成された冷蔵室３、及び、温蔵室４の運転動作について説明する。
先ず、冷蔵室３の運転動作から説明する。第１冷蔵運転スイッチ５６、又は、第２冷蔵運転スイッチ８３のスイッチの何れかを操作することにより、冷蔵室３が起動し、プログラマブルコントローラ８８の第２ＣＰＵ８９が第１冷蔵運転ランプ６１、第２冷蔵運転ランプ８５を点灯する。
そして、冷蔵室３の起動時には、先回設定された温度がプログラマブルコントローラ８８の第２ＲＡＭ９１に記憶されているので、その設定温度が第２ＣＰＵ８９によって第２ＲＡＭ９１から読み出され、冷蔵温度表示装置６３に表示される。その表示されたそのままの温度設定でよければ、所定時間後に冷蔵運転を開始する。
【００４３】
即ち、第２ＣＰＵ８９が冷蔵室３に付設された冷蔵室サーミスタ９２の温度検出データに基づいて冷却ユニット５2の駆動を指示することで、冷蔵室３内の空気を冷却する。更に、上述のサーミスタの温度検出データに基づいて、第２ＣＰＵ８９が冷気送風ファン６８の運転を制御することにより、中間壁４３を介して、冷却された空気を循環させることができるので、第１冷蔵室４７、第２冷蔵室４９に収納された食品を５〜１５℃の範囲内で設定された温度を中心温度として冷蔵することができる。
同時に、所定時間後に冷蔵運転が開始されると、第２ＣＰＵ８９は、第１冷蔵室４７に付設された冷蔵室サーミスタ９２と、第２冷蔵室４９に付設された第２冷蔵室サーミスタ９３によって室内温度を測定し、その結果を冷蔵温度表示装置６３に表示する。
【００４４】
又、設定温度を変更する場合は、冷蔵温度設定スイッチ５７を使用する。作業者が冷蔵温度設定スイッチ５７の温度設定指示ボタンを押すと、第２ＣＰＵ８９は、現在設定されている設定温度を第２ＲＡＭ９１から読み出して、冷蔵温度表示装置６３に表示する。作業者は、冷蔵温度表示装置６３に表示された温度表示を見ながら、冷蔵温度設定スイッチ５７の温度上方設定ボタン、又は、温度下方設定ボタンを操作して所望する温度に設定する。この時、第２ＣＰＵ８９は、設定ボタンが１回押されるごとに１℃変化するようにプログラムされ、その都度、第２ＲＡＭ９１にデータが書き込まれると共に、冷蔵温度表示装置６３に表示する。そして、最終データが第２ＲＡＭ９１に書き込まれてから所定時間経過後、第２ＣＰＵ８９は、この最終データが設定温度と判断して冷蔵運転を開始する。その後の行程は、上述した行程と同じであるので、その説明を省略する。
所定時間後に冷蔵運転が開始されると、第２ＣＰＵ８９は、第１冷蔵室４７に付設された冷蔵室サーミスタ９２と、第２冷蔵室４９に付設された第２冷蔵室サーミスタ９３によって室内温度を測定し、その結果を冷蔵温度表示装置６３に表示する。
【００４５】
次に、温蔵室４の運転動作を説明する。第１温蔵運転スイッチ５８、又は、第２温蔵運転スイッチ８４のスイッチの何れかを操作することにより、第１温蔵室４８、第２温蔵室５０が起動し、プログラマブルコントローラ８８の第２ＣＰＵ８９が第１温蔵運転ランプ６２、第２温蔵運転ランプ８６を点灯する。第１温蔵室４８、第２温蔵室５０の起動時には、先回設定された温度がプログラマブルコントローラ８８の第２ＲＡＭ９１に記憶されているので、その設定温度が第２ＣＰＵ８９によって第２ＲＡＭ９１から読み出され、第１温蔵温度表示装置６４、第２温蔵温度表示装置６５に表示される。表示されたそのままの温度設定でよければ、所定時間後に温蔵運転を開始する。
【００４６】
つまり、第２ＣＰＵ８９が第１温蔵室４８に付設される第１送風ユニット５３、及び、第２温蔵室５０に付設される第２送風ユニット５４の駆動を指示することで、第１温蔵室４８、第２温蔵室５０内の空気を循環させることができる。即ち、第１温蔵室４８では、第２ＣＰＵ８９が第１温蔵室４８に付設されている第１温蔵室サーミスタ９３の温度検出データに基づいて、第１温蔵室４８に付設される第１送風ユニット５３の駆動を指示する。そのため、第１温蔵室４８内の空気は、第１温蔵吸込口７１から吸い込まれ、第１温蔵吹出口７２、第１ダクト部７３、及び、上述の第１温蔵室４８と第１ダクト部７３を連通する複数の貫通孔を介して、再度、第１温蔵室４８内へ吹き出すことができる。この時、第１温蔵室４８内の空気は、第１ダクト部７３を通過する際に、第２ＣＰＵ８９が第１温蔵室４８に付設されている第１温蔵室サーミスタ９３の温度検出データに基づいて制御している第１ヒータパネル７５によって温められる。従って、第１ヒータパネル７５で温められた第１温蔵室４８内の空気を循環させることで、第１温蔵室４８内を均一に温めることができる。即ち、第１温蔵室４８内に収納された食品を４０〜８０℃の範囲内で設定された温度を中心温度として温蔵することができる。
【００４７】
同様に、第２温蔵室５０では、第２ＣＰＵ８９が第２温蔵室５０に付設されている第２温蔵室サーミスタ９４の温度検出データに基づいて、第２温蔵室５０に付設される第２送風ユニット５４の駆動を指示することで、第２温蔵室５０内の空気は、第２温蔵吸込口７７から吸い込まれ、第２温蔵噴出口７８、第２ダクト部７９、及び、上述の第２温蔵室５０と第２ダクト部７９を連通する複数の貫通孔を介して、再度、第２温蔵室５０内へ吹き出すことができる。この時、第２温蔵室５０内の空気は、第２ダクト部７９を通過する際に、第２ＣＰＵ８９が第２温蔵室５０に付設されている第２温蔵室サーミスタ９４の温度検出データに基づいて制御している第２ヒータパネル８１によって温められる。従って、第２ヒータパネル８１で温められた第２温蔵室５０内の空気を循環させることで、第２温蔵室５０内を均一に温めることができる。即ち、第２温蔵室５０内に収納された食品を４０〜８０℃の範囲内で設定された温度を中心温度として温蔵することができる。
同時に、所定時間後に温蔵運転が開始されると、第２ＣＰＵ８９は、第１温蔵室４８に付設された第１温蔵室サーミスタ９３によって室内温度を測定し、その結果を第１温蔵温度表示装置６４に表示する。又、第２ＣＰＵ８９は、第２温蔵室５０に付設された第２温蔵室サーミスタ９４によって室内温度を測定し、その結果を第２温蔵温度表示装置６５に表示する。
【００４８】
又、第１温蔵室４８の設定温度を変更する場合は、第１温蔵温度設定スイッチ５９を使用する。作業者が第１温蔵温度設定スイッチ５９の温度設定指示ボタンを押すと、第２ＣＰＵ８９は、現在設定されている設定温度を第２ＲＡＭ９１から読み出して、第１温蔵温度表示装置６４に表示する。作業者は、第１温蔵温度表示装置６４に表示された温度表示を見ながら、第１温蔵温度設定スイッチ５９の温度上方設定ボタン、又は、温度下方設定ボタンを操作して所望する温度に設定する。この時、第２ＣＰＵ８９は、設定ボタンが１回押されるごとに１℃変化するようにプログラムされ、その都度、第２ＲＡＭ９１にデータが書き込まれると共に、第１温蔵温度表示装置６４に表示する。そして、最終データが第２ＲＡＭ９１に書き込まれてから所定時間経過後、第２ＣＰＵ８９は、この最終データが設定温度と判断して温蔵運転を開始する。その後の行程は、上述した行程と同じであるので、その説明を省略する。
所定時間後に温蔵運転が開始されると、第２ＣＰＵ８９は、第１温蔵室４８に付設された第１温蔵室サーミスタ９３によって室内温度を測定し、その結果を第１温蔵温度表示装置６４に表示する。
【００４９】
更に、第２温蔵室５０の設定温度を変更する場合は、第２温蔵温度設定スイッチ６０を使用する。作業者が第２温蔵温度設定スイッチ６０の温度設定指示ボタンを押すと、第２ＣＰＵ８９は、現在設定されている設定温度を第２ＲＡＭ９１から読み出して、第２温蔵温度表示装置６５に表示する。作業者は、第２温蔵温度表示装置６５に表示された温度表示を見ながら、第２温蔵温度設定スイッチ６０の温度上方設定ボタン、又は、温度下方設定ボタンを操作して所望する温度に設定する。この時、第２ＣＰＵ８９は、設定ボタンが１回押されるごとに１℃変化するようにプログラムされ、その都度、第２ＲＡＭ９１にデータが書き込まれると共に、第２温蔵温度表示装置６５に表示する。そして、最終データが第２ＲＡＭ９１に書き込まれてから所定時間経過後、第２ＣＰＵ８９は、この最終データが設定温度と判断して温蔵運転を開始する。その後の行程は、上述した行程と同じであるので、その説明を省略する。
所定時間後に温蔵運転が開始されると、第２ＣＰＵ８９は、第２温蔵室５０に付設された第１温蔵室サーミスタ９３によって室内温度を測定し、その結果を第１温蔵温度表示装置６４に表示する。
【００５０】
以上説明したように、本実施形態に係る温冷蔵室機能付配膳車１によれば、本体２に設けられた冷蔵室３、温蔵室４の扉５１を有する側面を第１側面とすると、第１側面の上部には、冷蔵室３、温蔵室４の起動、及び、停止を行う第１冷蔵運転スイッチ５６、第１温蔵運転スイッチ５８とその近傍に第１冷蔵運転スイッチ５６、第１温蔵運転スイッチ５８による冷蔵室３、温蔵室４の起動、及び、停止の状態を表示する第１冷蔵運転ランプ６１、第１温蔵運転ランプ６２とを設け、第１側面と直交すると共に本体２の走行をコントロールするハンドル６、及び、本体２の走行を制動する制御ボックス８を有する側面を第２側面とすると、その第２側面の上部に対して、第１冷蔵運転スイッチ５６、第１温蔵運転スイッチ５８により設定された冷蔵室３、温蔵室４の起動又は停止した状態を切り換える第２冷蔵運転スイッチ８３、第２温蔵運転スイッチ８４と、第２冷蔵運転スイッチ８３、第２温蔵運転スイッチ８４によって切り換えられた冷蔵室３、温蔵室４の起動又は停止した状態を第１冷蔵運転ランプ６１、第１温蔵運転ランプ６２と連動して表示する第２冷蔵運転ランプ８５、第２温蔵運転ランプ８６と、冷蔵室３、温蔵室４に電源を供給する電源コネクタ３９を配設した。
【００５１】
これにより、ハンドル６のある第２側面を手前にして並べた複数の温冷蔵室機能付配膳車１に対し、本体２の第１側面の上部に配設された第１冷蔵運転スイッチ５６、第１温蔵運転スイッチ５８とその近傍に配設された第１冷蔵運転ランプ６１、第１温蔵運転ランプ６２は、隣の温冷蔵室機能付配膳車１に隠れて操作、及び、確認はできなくなるが、通路の確保できる第２側面の上部に配設された電源コネクタ３９と第２冷蔵運転スイッチ８３、第２温蔵運転スイッチ８４、及び、その近傍に配設された第２冷蔵運転ランプ８５、第２温蔵運転ランプ８６によって、外部から電源を供給しながら冷蔵室３、温蔵室４の起動又は停止を行うと共にその状態を確認することができる。すなわち、温冷蔵室機能付配膳車１の置き場の広さに左右されずに冷蔵室３、温蔵室４を機能させることができる。
【００５２】
また、電源コネクタ３９、及び、第２冷蔵運転スイッチ８３、第２温蔵運転スイッチ８４をハンドル６のある第２側面の上部に配設することにより、温冷蔵室機能付配膳車１を所定の場所に移動した時に、ロックしてから直ちに電源コネクタ３９と外部電源を接続して温冷運転ができるようになった。これにより、温冷蔵室機能付配膳車１をロックしてから電源コネクタ３９と外部電源を接続するために、本体２の扉５１を有する第１側面側に回って接続作業をする無駄な動作を無くすことができる。また、狭い配膳車置き場に温冷蔵室機能付配膳車１を並列に置いた時に、配膳車同士の間隔が取れないために、電源コネクタ３９と外部電源が接続できないという事態の発生を回避できる。
また、温冷運転の状態を見る時に第１冷蔵運転ランプ６１と第２冷蔵運転ランプ８５、第１温蔵運転ランプ６２と第２温蔵運転ランプ８６は互いに連動しているので、どこに居ても表示を見ることができる。更に、第１冷蔵運転スイッチ５６と第２冷蔵運転スイッチ８３、第１温蔵運転スイッチ５８と第２温蔵運転スイッチ８４はお互いの状態を変更できる。そのため、温冷運転の状態を変更する場合は、身近なスイッチを操作することによって状態を変更することができるので、無駄な動きをする必要が無い。
【００５３】
尚、本発明はこのような実施の形態に何等限定されるものではなく、本発明の要旨を逸脱しない範囲において種々なる態様で実施し得る。
【図面の簡単な説明】
【００５４】
【図１】本実施形態に係る温冷蔵室機能付配膳車の側面図である。
【図２】本実施形態に係る温冷蔵室機能付配膳車の内部構成を示す説明図である。
【図３】温冷蔵室機能付配膳車の制御ボックス近傍の説明図である。
【図４】本実施形態に係る温冷蔵室機能付配膳車の底面図である。
【図５】温冷蔵室機能付配膳車の補助電動機能に関する制御ブロック図である。
【図６】温冷蔵室機能付配膳車の温冷蔵室機能に関する制御ブロック図である。
【符号の説明】
【００５５】
１      温冷蔵室機能付配膳車
２      本体
３      冷蔵室
４      温蔵室
６      ハンドル
８      制御ボックス
３９    電源コネクタ
５１    扉
５６    第１冷蔵運転スイッチ
５８    第１温蔵運転スイッチ
６１    第１冷蔵運転ランプ
６２    第１温蔵運転ランプ
８３    第２冷蔵運転スイッチ
８４    第２温蔵運転スイッチ
８５    第２冷蔵運転ランプ
８６    第２温蔵運転ランプ
【図１】
0005174534.tif 000002
【図２】
0005174534.tif 000003
【図３】
0005174534.tif 000004
【図４】
0005174534.tif 000005
【図５】
0005174534.tif 000006
【図６】
0005174534.tif 000007